(57)【要約】  ピットへの出入りを容易に行うことができるエレベータのピット梯子装置を得る。このエレベータのピット梯子装置は、昇降路を昇降するかごに設けられ、かごとともに昇降路を昇降するカムと、使用位置と収納位置との間で変位するピット梯子と、ピット梯子を変位させる変位装置とを備え、変位装置は、カムによって押し下げられる当接部を有し、当接部が押し下げられることによってピット梯子を使用位置と収納位置との間で変位させる。
2020012531.tif 000002
【特許請求の範囲】
【請求項１】
昇降路を昇降する昇降体に設けられ、前記昇降体とともに前記昇降路を昇降するカムと、
使用位置と収納位置との間で変位するピット梯子と、
前記ピット梯子を変位させる変位装置と
を備え、
前記変位装置は、前記カムによって押し下げられる当接部を有し、前記当接部が押し下げられることによって前記ピット梯子を前記使用位置と前記収納位置との間で変位させるエレベータのピット梯子装置。
【請求項２】
前記昇降体は、かごであり、
前記変位装置は、前記当接部が前記カムによって押し下げられる場合に前記ピット梯子を前記使用位置から前記収納位置に変位させ、前記カムによる前記当接部への押し下げが解除された場合に前記ピット梯子を前記収納位置から前記使用位置に変位させる請求項１に記載のエレベータのピット梯子装置。
【請求項３】
前記昇降体は、つり合いおもりであり、
前記変位装置は、前記当接部が前記カムによって押し下げられる場合に前記ピット梯子を前記収納位置から前記使用位置に変位させ、前記カムによる前記当接部への押し下げが解除された場合に前記ピット梯子を前記使用位置から前記収納位置に変位させる請求項１に記載のエレベータのピット梯子装置。
【請求項４】
エレベータの保守点検時の前記つり合いおもりは、エレベータの通常運転時の前記つり合いおもりの移動可能領域よりも下方へ移動可能となっており、
前記つり合いおもりが前記移動可能領域よりも下方に移動した場合に、前記当接部が前記カムによって押し下げられる請求項３に記載のエレベータのピット梯子装置。
【発明の詳細な説明】
【技術分野】
【０００１】
この発明は、使用位置と収納位置との間でピット梯子が変位するエレベータのピット梯子装置に関する。
【背景技術】
【０００２】
従来、ピット梯子と、ピット梯子を支持する支持装置とを備え、ピット梯子が使用位置と収納位置との間で変位するように、支持装置がピット梯子を支持するエレベータのピット梯子装置が知られている。作業者がピットに入る場合に、作業者がピット梯子を収納位置から使用位置に変位させる。作業者がピットから外に出た場合に、作業者がピット梯子を使用位置から収納位置に変位させる（例えば、特許文献１参照）。
【先行技術文献】
【特許文献】
【０００３】
【特許文献１】特開平６−１４６７６０号公報
【発明の概要】
【発明が解決しようとする課題】
【０００４】
しかしながら、作業者がピットに出入りする場合に、乗場出入口から作業者が手を伸ばしてピット梯子を把持して、作業者がピット梯子を変位させなければならない。これにより、ピットへの出入りに手間がかかるという課題があった。【０００５】
この発明は、上述のような課題を解決するためになされたものであり、その目的は、ピットへの出入りを容易に行うことができるエレベータのピット梯子装置を提供するものである。
【課題を解決するための手段】
【０００６】
この発明に係るエレベータのピット梯子装置は、昇降路を昇降する昇降体に設けられ、昇降体とともに昇降路を昇降するカムと、使用位置と収納位置との間で変位するピット梯子と、ピット梯子を変位させる変位装置とを備え、変位装置は、カムによって押し下げられる当接部を有し、当接部が押し下げられることによってピット梯子を使用位置と収納位置との間で変位させる。
【発明の効果】
【０００７】
この発明に係るエレベータのピット梯子装置によれば、当接部が押し下げられることによってピット梯子が使用位置と収納位置との間で変位する。これにより、乗場出入口から作業者が手を伸ばしてピット梯子を把持することなく、ピット梯子を変位させることができる。その結果、ピットへの出入りを容易に行うことができる。
【図面の簡単な説明】
【０００８】
【図１】この発明の実施の形態１に係るエレベータのピット梯子装置を備えたエレベータの要部を示す平面図である。
【図２】図１のエレベータの要部を示す側面図である。
【図３】図１のピット梯子が変位した状態を示す平面図である。
【図４】図２のピット梯子が変位した状態を示す側面図である。
【図５】この発明の実施の形態２に係るエレベータのピット梯子装置を備えたエレベータの要部を示す側面図である。
【図６】図１のエレベータの要部を示す正面図である。
【図７】図５のピット梯子が変位した状態を示す側面図である。
【図８】図６のピット梯子が変位した状態を示す正面図である。
【発明を実施するための形態】
【０００９】
実施の形態１．
図１は、この発明の実施の形態１に係るエレベータのピット梯子装置を備えたエレベータの要部を示す平面図、図２は、図１のエレベータの要部を示す側面図である。エレベータは、昇降路１を昇降する昇降体であるかご２と、かご２に対して反対方向に昇降路１を昇降する昇降体であるつり合いおもり３と、昇降路１のピット１１に設けられたピット梯子装置４Ａとを備えている。図２では、図１の矢印Ａの方向から視た場合のエレベータの要部を示している。なお、図２では、つり合いおもり３を示していない。
【００１０】
また、エレベータは、かご２を案内する一対のかご用ガイドレール５と、つり合いおもり３を案内する一対のつり合いおもり用ガイドレール６とを備えている。かご２は、一対のかご用ガイドレール５の間に配置されている。かご２は、一対のかご用ガイドレール５に沿って昇降路１を昇降する。つり合いおもり３は、一対のつり合いおもり用ガイドレール６の間に配置されている。つり合いおもり３は、一対のつり合いおもり用ガイドレール６に沿って昇降路１を昇降する。
【００１１】
ピット梯子装置４Ａは、高さ方向に延びるピット梯子７と、ピット梯子７を変位させる変位装置８Ａとを備えている。図１および図２では、ピット梯子７の位置が収納位置である状態を示している。ピット梯子７の位置が収納位置である場合に、上方から視た場合にピット梯子７がかご２からずれて配置される。言い換えれば、ピット梯子７の位置が収納位置である場合に、かご２の投影面の外側にピット梯子７が配置される。また、ピット梯子７の位置が収納位置である場合に、ピット梯子７がピット１１の底面であるピット面１１１から上方に離れて配置される。
【００１２】
図３は、図１のピット梯子７が変位した状態を示す平面図、図４は、図２のピット梯子７が変位した状態を示す側面図である。図３および図４では、ピット梯子７の位置が使用位置である状態を示している。ピット梯子７の位置が使用位置である場合に、上方から視た場合にピット梯子７がかご２と重なって配置される。言い換えれば、ピット梯子７の位置が使用位置である場合に、かご２の投影面の内側にピット梯子７が配置される。また、ピット梯子７の位置が使用位置である場合に、ピット梯子７が上方からピット面１１１に当たる。
【００１３】
図１、図２、図３および図４に示すように、ピット梯子７は、収納位置と使用位置との間で変位する。変位装置８Ａは、収納位置と使用位置との間でピット梯子７を変位させる。
【００１４】
変位装置８Ａは、昇降路１の壁１２に固定された複数の取付金８０１と、それぞれの取付金８０１に設けられた複数の軸８０２と、それぞれの軸８０２に回動可能に支持された複数の取付腕８０３とを備えている。
【００１５】
複数の取付金８０１は、高さ方向に並べて配置されている。取付金８０１は、壁１２に固定された固定板８０４と、固定板８０４に固定された一対の腕部８０５とを有している。一対の腕部８０５は、昇降路１の奥行方向に互いに離れて配置されている。一対の腕部８０５は、固定板８０４が固定された壁１２の部分から離れる方向に固定板８０４から延びて配置されている。
【００１６】
複数の軸８０２は、高さ方向に並べて配置されている。複数の軸８０２は、複数の取付金８０１に１個ずつ取り付けられている。それぞれの軸８０２は、一対の腕部８０５に渡って配置されている。それぞれの軸８０２は、昇降路１の奥行方向に延びて配置されている。
【００１７】
複数の取付腕８０３は、高さ方向に並べて配置されている。複数の取付腕８０３は、複数の軸８０２に２個ずつ取り付けられている。同一の軸８０２に取り付けられた一対の取付腕８０３は、昇降路１の奥行方向に互いに離れて配置されている。取付腕８０３における軸８０２に取り付けられる部分は、取付腕８０３における長手方向中間部分となっている。
【００１８】
取付腕８０３の一端部には、ピット梯子７が回動可能に支持されている。取付腕８０３が軸８０２を中心に回動することによって、ピット梯子７が収納位置と使用位置との間で変位する。ピット梯子７は、ピット梯子７の長手方向が高さ方向と一致した状態で、収納位置と使用位置との間で変位する。
【００１９】
また、変位装置８Ａは、ピット梯子７よりも上方で壁１２に固定された取付金８０６と、取付金８０６に回動可能に支持されたレバー８０７と、レバー８０７に回転可能に支持された当接部であるローラ８０８とを備えている。レバー８０７における取付金８０６に取り付けられる部分は、レバー８０７における長手方向中間部分となっている。レバー８０７の一端部には、ローラ８０８が回転可能に支持されている。
【００２０】
また、変位装置８Ａは、ピット面１１１に回転可能に支持されたプーリ８０９と、レバー８０７とそれぞれの取付腕８０３とに渡って設けられたワイヤー８１０とを備えている。ワイヤー８１０の一端部がレバー８０７の他端部に接続されている。ワイヤー８１０は、プーリ８０９に巻き掛けられている。ワイヤー８１０におけるプーリ８０９に巻き掛けられている部分よりもワイヤー８１０の他端部側の部分には、それぞれの取付腕８０３の他端部が接続されている。
【００２１】
また、変位装置８Ａは、かご２に設けられたカム８１１を備えている。カム８１１は、かご２の外側に配置されている。カム８１１は、かご２とともに昇降路１を昇降する。ローラ８０８は、ピット梯子７の位置が使用位置である場合に、カム８１１の移動可能領域に配置される。また、ローラ８０８は、ピット梯子７の位置が収納位置である場合に、カム８１１の移動可能領域から外れる。
【００２２】
次に、エレベータのピット梯子装置４Ａの動作について説明する。かご２が最下階の乗場出入口１３よりも上方にある場合には、図４に示すように、カム８１１は、ローラ８０８から上方に離れて配置される。この場合に、ピット梯子７の位置は、ピット梯子７の自重によって、使用位置となる。
【００２３】
その後、かご２が最下階の乗場出入口１３に近づくと、図２に示すように、カム８１１がローラ８０８に上方から当たる。これにより、ローラ８０８は、カム８１１によって押し下げられる。言い換えれば、ローラ８０８は、かご２の動力を用いて、押し下げられる。これにより、ローラ８０８は、カム８１１の移動可能領域から外れる。カム８１１に押し下げられたローラ８０８は、カム８１１を転動する。
【００２４】
ローラ８０８が押し下げられることによって、レバー８０７は、レバー８０７の他端部が上方に移動する方向に回動する。レバー８０７の他端部が上方に移動することによって、ワイヤー８１０の一端部が上方に移動する。ワイヤー８１０の一端部が上方に移動することによって、ワイヤー８１０おけるプーリ８０９に巻き掛けられている部分よりもワイヤー８１０の他端部側の部分が下方に移動する。
【００２５】
ワイヤー８１０おけるプーリ８０９に巻き掛けられている部分よりもワイヤー８１０の他端部側の部分が下方に移動することによって、取付腕８０３は、取付腕８０３の一端部が上方に移動する方向に回動する。取付腕８０３の一端部が上方に移動することによって、ピット梯子７は、使用位置から収納位置に変位する。
【００２６】
一方、かご２が最下階の乗場出入口１３から上方に移動すると、図４に示すように、カム８１１は、ローラ８０８から上方に離れる。これにより、ローラ８０８によるカム８１１の押し下げが解除される。
【００２７】
ローラ８０８によるカム８１１の押し下げが解除されることによって、ピット梯子７は、ピット梯子７の自重によって、収納位置から使用位置に変位する。ピット梯子７が収納位置から使用位置に変位することによって、取付腕８０３は、取付腕８０３の一端部が下方に移動する方向に回動する。取付腕８０３の一端部が下方に移動することによって、ワイヤー８１０におけるプーリ８０９に巻き掛けられている部分よりもワイヤー８１０の他端部側の部分が上方に移動する。
【００２８】
ワイヤー８１０におけるプーリ８０９に巻き掛けられている部分よりもワイヤー８１０の他端部側の部分が上方に移動することによって、ワイヤー８１０の一端部が下方に移動する。ワイヤー８１０の一端部が下方に移動することによって、レバー８０７の他端部が下方に移動する。レバー８０７の他端部が下方に移動することによって、ローラ８０８が上方に移動する。これにより、ローラ８０８は、カム８１１の移動可能領域に配置される。
【００２９】
以上説明したように、この発明の実施の形態１に係るエレベータのピット梯子装置４Ａによれば、ローラ８０８が押し下げられることによってピット梯子７が使用位置と収納位置との間で変位する。これにより、乗場出入口１３から作業者が手を伸ばしてピット梯子７を把持することなく、ピット梯子７を変位させることができる。その結果、ピット１１への出入りを容易に行うことができる。
【００３０】
また、ピット梯子７を使用位置と収納位置との間で変位する。これにより、昇降路１にピット梯子７を設置する場合に、昇降路１が大型化することを抑制することができる。
【００３１】
また、カム８１１がかご２に設けられている。ローラ８０８がカム８１１によって押し下げられる場合にピット梯子７が使用位置から収納位置に変位し、カム８１１によるローラ８０８への押し下げが解除された場合にピット梯子７が収納位置から使用位置に変位する。これにより、かご２を移動させることによって、ピット梯子７を収納位置と使用位置との間で変位させることができる。
【００３２】
なお、実施の形態１では、カム８１１によって押し下げられる当接部としてカム８１１を転動するローラ８０８を例に説明した。しかしながら、これに限らず、カム８１１によって押し下げられる当接体は、カム８１１に対して摺動する摺動体であってもよい。
【００３３】
実施の形態２．
図５は、この発明の実施の形態２に係るエレベータのピット梯子装置を備えたエレベータの要部を示す側面図、図６は、図５のエレベータの要部を示す正面図である。エレベータは、ピット１１に設けられたつり合いおもり用緩衝器９をさらに備えている。なお、図５には、つり合いおもり用緩衝器９を示していない。つり合いおもり用緩衝器９は、上方から視た場合に、つり合いおもり３と重なるように配置されている。エレベータの保守点検時のつり合いおもり３は、エレベータの通常運転時のつり合いおもり３の移動可能領域よりも下方へ移動可能となっている。
【００３４】
ピット梯子装置４Ｂは、高さ方向に延びるピット梯子７と、ピット梯子７を変位させる変位装置８Ｂとを備えている。図５および図６では、ピット梯子７の位置が収納位置である状態を示している。
【００３５】
図７は、図５のピット梯子７が変位した状態を示す側面図、図８は、図６のピット梯子７が変位した状態を示す正面図である。図７および図８では、ピット梯子７の位置が使用位置である状態を示している。
【００３６】
図５、図６、図７および図８に示すように、ピット梯子７は、収納位置と使用位置との間で変位する。変位装置８Ｂは、収納位置と使用位置との間でピット梯子７を変位させる。
【００３７】
変位装置８Ｂは、壁１２に固定された複数の取付金８１２と、それぞれの取付金８１２に設けられた複数の軸８１３と、それぞれの軸８１３に回動可能に支持された複数の取付腕８１４と、それぞれの軸８１３に設けられた捩じりばね８１５を備えている。
【００３８】
複数の取付金８１２は、高さ方向に並べて配置されている。複数の軸８１３は、高さ方向に並べて配置されている。複数の軸８１３は、複数の取付金８１２に１個ずつ取り付けられている。それぞれの軸８１３は、昇降路１の奥行方向に延びて配置されている。
【００３９】
複数の取付腕８１４は、高さ方向に並べて配置されている。複数の取付腕８１４は、複数の軸８１３に２個ずつ取り付けられている。同一の軸８１３に取り付けられた一対の取付腕８１４は、昇降路１の奥行方向に互いに離れて配置されている。
【００４０】
取付腕８１４の一端部には、ピット梯子７が回動可能に支持されている。取付腕８１４が軸８１３を中心に回動することによって、ピット梯子７が収納位置と使用位置との間で変位する。ピット梯子７は、ピット梯子７の長手方向が高さ方向と一致した状態で、収納位置と使用位置との間で変位する。
【００４１】
捩じりばね８１５は、ピット梯子７の位置が収納位置となるように軸８１３に弾性力を作用させる。
【００４２】
また、変位装置８Ｂは、ピット梯子７に設けられた当接部であるローラ８１６と、つり合いおもり３に設けられたカム８１７とを備えている。カム８１７は、つり合いおもり３とともに昇降路１を昇降する。ローラ８１６は、ピット梯子７の位置が使用位置である場合に、カム８１７の移動可能領域に配置される。また、ローラ８１６は、ピット梯子７の位置が収納位置である場合に、カム８１７の移動可能領域から外れる。その他の構成は、実施の形態１と同様である。
【００４３】
次に、エレベータのピット梯子装置４Ｂの動作について説明する。つり合いおもり３が、エレベータの通常運転時のつり合いおもり３の移動可能領域内にある場合には、図５に示すように、カム８１７は、ローラ８１６から上方に離れて配置される。この場合に、ピット梯子７の位置は、捩じりばね８１５の弾性力によって、収納位置となる。
【００４４】
その後、つり合いおもり３が、エレベータの通常運転時のつり合いおもり３の移動可能領域よりも下方に移動すると、図７に示すように、カム８１７はローラ８１６に上方から当たる。これにより、ローラ８１６は、カム８１７によって押し下げられる。言い換えれば、ローラ８１６は、つり合いおもり３の動力を用いて、押し下げられる。これにより、ローラ８１６は、カム８１７の移動可能領域から外れる。カム８１７に押し下げられたローラ８１６は、カム８１７を転動する。また、この場合に、つり合いおもり用緩衝器９につり合いおもり３が上方から当たる。
【００４５】
ローラ８１６が押し下げられることによって、ピット梯子７は、捩じりばね８１５の弾性力に逆らって、収納位置から使用位置に変位する。
【００４６】
一方、つり合いおもり３が、エレベータの通常運転時のつり合いおもり３の移動可能領域に戻ると、図５に示すように、カム８１７は、ローラ８１６から上方に離れる。これにより、ローラ８１６によるカム８１７の押し下げが解除される。また、この場合に、つり合いおもり用緩衝器９からつり合いおもり３が上方に離れる。
【００４７】
ローラ８１６によるカム８１７の押し下げが解除されることによって、ピット梯子７は、捩じりばね８１５の弾性力によって、使用位置から収納位置に変位する。
【００４８】
以上説明したように、この発明の実施の形態２に係るエレベータのピット梯子装置４Ｂによれば、カム８１７がつり合いおもり３に設けられている。ローラ８１６がカム８１７によって押し下げられる場合にピット梯子７が収納位置から使用位置に変位し、カム８１７によるローラ８１６への押し下げが解除された場合にピット梯子７が使用位置から収納位置に変位する。これにより、これにより、つり合いおもり３を移動させることによって、ピット梯子７を使用位置と収納位置との間で変位させることができる。
【００４９】
なお、実施の形態２では、カム８１７によって押し下げられる当接部としてカム８１７を転動するローラ８１６を例に説明した。しかしながら、これに限らず、カム８１７によって押し下げられる当接体は、カム８１７に対して摺動する摺動体であってもよい。
【符号の説明】
【００５０】
１  昇降路、２  かご、３  つり合いおもり、４Ａ、４Ｂ  ピット梯子装置、５  かご用ガイドレール、６  つり合いおもり用ガイドレール、７  ピット梯子、８Ａ、８Ｂ  変位装置、９  つり合いおもり用緩衝器、１１  ピット、１２  壁、１３  乗場出入口、１１１  ピット面、８０１  取付金、８０２  軸、８０３  取付腕、８０４  固定板、８０５  腕部、８０６  取付金、８０７  レバー、８０８  ローラ、８０９  プーリ、８１０  ワイヤー、８１１  カム、８１２  取付金、８１３  軸、８１４  取付腕、８１５  捩じりばね、８１６  ローラ、８１７  カム。
【図１】
2020012531.tif 000003
【図２】
2020012531.tif 000004
【図３】
2020012531.tif 000005
【図４】
2020012531.tif 000006
【図５】
2020012531.tif 000007
【図６】
2020012531.tif 000008
【図７】
2020012531.tif 000009
【図８】
2020012531.tif 000010
【国際調査報告】
2020012531.tif 000011
2020012531.tif 000012
2020012531.tif 000013
2020012531.tif 000014